(57)【特許請求の範囲】
【請求項１】
前面板と後面板と両側板と底板とからなり、前記側板の一方の端部に開閉可能なヒンジ蓋が形成されたトレー状の成形品を、側面の一端に切欠が設けられた紙筒の内部に、前記紙筒の前記切欠に前記成形品の前記ヒンジ蓋が重合するように収納した構成からなることを特徴とするカード状ケース。
【請求項２】
前面板と後面板と両側板と底板とからなり、前記前面板の一方の端部に開閉可能なヒンジ蓋が形成されたトレー状の成形品を、紙筒の内部に収納した構成からなることを特徴とするカード状ケース。
【請求項３】
前記成形品の前記後面板側の前記底板に段部が形成されると共に前記後面板の端縁に突起が形成され、前記紙筒の前記後面板側の端縁の底面に内側に折込まれた折込片が形成され、前記折込片の端縁と前記段部との係合および前記後面板側の前記紙筒の端縁と前記突起との係合により、前記紙筒と前記成形品が固定されていることを特徴とする請求項１〜２記載のカード状ケース。
【請求項４】
前記紙筒の内面と前記成形品の外面間の所定領域にて接着されて、前記紙筒と前記成形品が固定されていることを特徴とする請求項１〜２記載のカード状ケース。
【請求項５】
前記ヒンジ蓋が、前記成形品の角部にヒンジが形成されると共に角部より所定寸法内側の位置に開閉端が形成された構成であることを特徴とする請求項１〜４記載のカード状ケース。
【請求項６】
前記ヒンジ蓋が、前記成形品の角部に開閉端が形成されると共に角部より所定寸法内側の位置にヒンジが形成された構成であることを特徴とする請求項１〜４記載のカード状ケース。
【発明の詳細な説明】
【０００１】
【発明の属する技術分野】
本発明は、粒状物を包装するための偏平なカード状のケースに関する。
【０００２】
【従来の技術】
従来、粒状製品を包装して少量づつ取り出して使用する用途に適したヒンジ蓋付きのケースとしては、例えば、プラスチツク成形品からなる筒状の容器と天面の一部に開閉可能なヒンジ蓋が形成されたキヤップとを嵌合させた構成からなるケース等が知られている。しかしながら、この種のケースは容器とキヤツプとを嵌合させてケースを組み立てるのに手間がかかる上に、プラスチツクの成形品であるために、ケースの表面全面に美麗な印刷を施すのが困難であり、デザイン的な制約を受けるため意匠面で劣るという欠点があつた。また、ケース全体がプラスチツク製であるために廃棄面でも問題があつた。
【０００３】
【発明が解決しようとする課題】
本発明の目的は、プラスチツクの使用量を減らした紙との複合構成からなる組立てが簡単で且つ意匠性に優れたカード状ケースを提供することにある。
【０００４】
【課題を解決するための手段】
前面板と後面板と両側板と底板とからなり、前記側板の一方の端部に開閉可能なヒンジ蓋が形成されたトレー状の成形品を、側面の一端に切欠が設けられた紙筒の内部に、前記紙筒の前記切欠に前記成形品の前記ヒンジ蓋が重合するように収納した構成からなることを特徴とするカード状ケースである。紙筒とトレー状の成形品との複合体とすることにより成形品に使用するプラスチツク量を減らせると共に成形品の製造が簡単になる上に、紙筒の外面に全面印刷を施せるので意匠性の優れたケースとすることができる。
【０００５】
前面板と後面板と両側板と底板とからなり、前記前面板の一方の端部に開閉可能なヒンジ蓋が形成されたトレー状の成形品を、紙筒の内部に収納した構成からなることを特徴とするカード状ケースである。この場合、紙筒をより簡単な形状とすることができる上に、切欠がなく紙筒の外面に全面印刷を施せるので意匠性の優れたケースとなる。
【０００６】
前記成形品の前記後面板側の前記底板に段部が形成されると共に前記後面板の端縁に突起が形成され、前記紙筒の前記後面板側の端縁の底面に内側に折込まれた折込片が形成され、前記折込片の端縁と前記段部との係合および前記後面板側の前記紙筒の端縁と前記突起との係合により、前記紙筒と前記成形品が固定されていることを特徴とする上記のカード状ケースである。この場合、紙筒内に成形品を挿入するだけで、紙筒と成形品を固定することができるので組立てがきわめて簡単であり手間がかからない。
【０００７】
前記紙筒の内面と前記成形品の外面間の所定領域にて接着されて、前記紙筒と前記成形品が固定されていることを特徴とする上記のカード状ケースである。成形品の外面に紙筒のブランク板を巻き付けて筒貼りと同時に成形品と紙筒を接着できるので組立が容易である。
【０００８】
前記ヒンジ蓋が、前記成形品の角部にヒンジが形成されると共に角部より所定寸法内側の位置に開閉端が形成された構成であることを特徴とする上記のカード状ケースである。この場合、開閉端が側板にあるのでケースを手で持つた状態で爪でヒンジ蓋を容易に開くことができる。
【０００９】
前記ヒンジ蓋が、前記成形品の角部に開閉端が形成されると共に角部より所定寸法内側の位置にヒンジが形成された構成であることを特徴とする上記のカード状ケースである。この場合、ヒンジ蓋の開閉端が角部にくるので指を掛けやすくヒンジ蓋の開閉がきわめて容易に行うことができる。
【００１０】
【発明の実施の形態】
図１は本第１発明のカード状ケースを示す（イ）は開閉蓋を閉じた状態の斜視図で（ロ）は開閉蓋を開いた状態の斜視図であり、図２は本第１発明における紙筒に成形品を挿入してセツトする状態を示す斜視図であり、図３は本第１発明における紙筒ブランク板を示す平面図であり、図４は本第１発明における紙筒と成形品の固定した状態を示す断面図であり、図５は本第１発明におけるヒンジ蓋の嵌合部を示す図であり、図６は本第１発明におけるヒンジ蓋の嵌合部の他の実施例を示す図であり、図７は本第２発明のカード状ケースを示す開閉蓋を閉じた状態の斜視図であつて、１は成形品、２はヒンジ蓋、３はヒンジ、４は段部、５は側板、６は前面板、７は後面板、８は突起、９は底板、10は紙筒、11は切欠、12は折込片、13は糊代片、14は開閉端、15,16 は嵌合突起をそれぞれ表す。
【００１１】
本第１発明のカード状ケースは図１に示すとおりであり、前面板と後面板と両側板と底板とからなり、側板の前面板６側の端縁にヒンジ蓋２が設けられたトレー状の成形品１を、板紙からなり側面の一方の端部に切欠11が形成された断面が直方体状の紙筒10の内部に、紙筒10に形成された切欠11の位置と成形品１に形成されたヒンジ蓋２の位置が重合するように収納した構成である。トレー状の成形品１の側板と前面板６との角部にヒンジ３が設けられて、側板の一方の端縁にヒンジ蓋２が形成された構成であるので、開閉端14に指をかけて簡単にヒンジ蓋２を開閉することができるので内容物の取り出しがきわめて容易である。
【００１２】
本第１発明のカード状ケースを組み立てるには、図２に示すように、側板５の前面板６側の端部にヒンジ蓋２が形成されると共に後面板７側の底板９に段部４が形成され且つ後面板７の上下端縁に突起８が形成されたトレー状の成形品１を、図３に示す、側面の一端に切欠11が設けられていると共に切欠11が設けられているのと反対側の端縁の底面に内方に折り曲げて形成された折込片12を有する紙筒10に、紙筒10の切欠11と成形品１のヒンジ蓋２が重合するように成形品１を挿入することにより、紙筒10と成形品１が固定されてカード状ケースができあがる。紙筒10は、図３に示す紙筒ブランク板を折り曲げて糊代片13にて接着して紙筒10とし次いで折込片12を内方に折り曲げることにより作製することができる。紙筒10に成形品１を挿入した際に、紙筒10に形成されている折込片12が成形品１の底面に形成された段部４と成形品１の後面板７の下端に設けられた突起８との間に納まつた状態で紙筒10と成形品１が固定される。
【００１３】
上記のようにして紙筒10と成形品１が固定された状態の断面形状は、図４に示すとおりであり、紙筒10の折込片12の端縁と成形品１の底板９に形成された段部４との係合により成形品１が後方に抜け落ちなくなると共に、折込片12のある側の紙筒10の端縁と成形品１の後面板７の上下端に設けられた突起８との係合により成形品１が前方に移動できなくなる。したがつて、接着剤を使用して接着することなしに、紙筒10と成形品１を簡単に固定することができるので、組み立て作業がきわめて簡単となる。
【００１４】
本第１発明のカード状ケースを組み立てる方法としては、上記とは別に、紙筒ブランク板を筒状に成形してトレー状の成形品１を収納した際に、成形品１の外面と重なり合う紙筒ブランク板の所定領域に接着剤を塗布して、その紙筒ブランク板の折込片12を内側に折曲げてから、トレー状の成形品１のヒンジ蓋２と紙筒ブランク板の切欠11が重合し且つ折込片12が成形品１の底板９の段部４と後面板７の間に納まるように、紙筒ブランク板を成形品１の外面に巻き付けて糊代片13にて筒状に接着して、紙筒10と成形品１とを接着固定してカード状ケースを組み立ててもよい。この方法にてカード状ケースを組み立てる場合には、成形品１の底板９の段部４と後面板７の上下端の突起８および紙筒10の折込片12がなくても問題はない。その場合は、紙筒ブランク板から形成される紙筒10の端縁と成形品１の端縁とが面一になるように位置決めして紙筒10と成形品１を接着固定すればよい。
【００１５】
成形品１に形成されるヒンジ蓋２の構成は、図５に示すとおり、ヒンジ蓋２の端縁には外側に突出した開閉端14が形成されると共にヒンジ蓋２の端縁よりやや内側の位置に内方へ突出した嵌合突起15が設けられている。一方、側板５のヒンジ蓋２の開閉端14と隣接する端縁には内方へ突出した嵌合突起16が設けられており、ヒンジ蓋２の端縁の嵌合突起15と側板５の端縁の嵌合突起16が嵌合することによりヒンジ蓋２の閉じた状態が保持される。ヒンジ蓋２の先端の開閉端14を指で持ち上げることにより容易にヒンジ蓋２を開くことができる。
【００１６】
ヒンジ蓋の構成を図６に示すようにすることも可能である。図６（イ）に示す構成は、基本的には図５に示す構成と同じであるが、ヒンジ蓋２の端縁に外方への突出部を形成せずに、ヒンジ蓋２の端部の内側にテーパーを設けて開閉端14とすると共に、開閉端14と隣接する側板５の端縁部分を一定の長さだけ内方に突出させて段差をつけた形状とすることにより、ヒンジ蓋２の開閉端14と側板５の段差との間に指を差し込めるようにしたものである。この構成の場合には、ヒンジ蓋２の開閉端14に外方への突出部がないが、ヒンジ蓋２の開閉端14と側板５の段差の間に指を差し込めるのでヒンジ蓋２の開閉は容易である。ヒンジ蓋２が閉じた状態では、図５の場合と同様に、ヒンジ蓋の嵌合突起15と側板５の嵌合突起16が嵌合してその状態が保持される。
【００１７】
図６（ロ）に示すヒンジ蓋の構成は、側板５の前面板６側の端縁をヒンジ蓋２の開閉端14とし、ヒンジ３を側板５の前面板６側の端縁から所定寸法内側の位置に設けた構成である。この場合には、ヒンジ蓋２の開閉端14よりやや内側の位置に内方へ突出した嵌合突起15が形成れると共に、前面板６の側板５側の端縁に内方に突出した嵌合突起16が形成されており、嵌合突起15,16 が嵌合してヒンジ蓋２の閉じた状態が保持される。ヒンジ蓋２を開く場合には、ヒンジ蓋２の開閉端14を指で外方に押すことにより容易に行うことができる。
【００１８】
本第２発明のカード状ケースは図７に示すとおりであり、成形品１の前面板６の端縁寄りの位置に、角部をヒンジ３とし所定寸法内側の位置を開閉端14としたヒンジ蓋２を設けたものである。前面板６にヒンジ蓋２を設ける場合に前面板６の端縁部に開閉端14を設けて前面板６の端縁より所定寸法内側の位置にヒンジ３を設けた構成としてもよい。上記いずれの場合においても、紙筒10に切欠11を設ける必要がないのでより簡単な構成とすることができる。
【００１９】
【発明の効果】
前面板と後面板と両側板と底板とからなり、側板の前面板側の端部に開閉可能なヒンジ蓋が形成されたトレー状の成形品を、側面の一端に切欠が設けられた紙筒の内部に、紙筒の切欠に成形品のヒンジ蓋が重合するように収納された構成、ないしは前面板と後面板と両側板と底板とからなり、前面板の一方の端部に開閉可能なヒンジ蓋が形成されたトレー状の成形品を、紙筒の内部に収納した構成であつて、成形品の後面板側の底板に段部が形成されると共に後面板の端縁に突起が形成され、紙筒の切欠と反対側の端縁の底面に内側に折込まれた折込片が形成され、折込片の端縁と段部との係合および折込片のある底面の端縁と突起との係合により紙筒と成形品とを固定するか、ないしは紙筒の内面と成形品の外面間の所定領域にて接着して紙筒と成形品を固定したカード状ケースであるので、組み立てが簡単である、紙筒の外面全面に印刷ができるので意匠性に優れる、紙とプラスチツクの複合体であるのでプラスチツクの使用量を削減でき廃棄面で問題がない等の効果が得られる。
【図面の簡単な説明】
【図１】本第１発明のカード状ケースを示す、（イ）は開閉蓋を閉じた状態の斜視図、（ロ）は開閉蓋を開いた状態の斜視図である。
【図２】本第１発明における紙筒に成形品を挿入してセツトする状態を示す斜視図である。
【図３】本第１発明における紙筒ブランク板を示す平面図である。
【図４】本第１発明における紙筒と成形品の固定した状態を示す断面図である。
【図５】本第１発明におけるヒンジ蓋の嵌合部を示す図である。
【図６】本第１発明におけるヒンジ蓋の嵌合部の他の実施例を示す図である
【図７】本第２発明のカード状ケースを示す開閉蓋を閉じた状態の斜視図である。
【符号の説明】
１  成形品                          10  紙筒
２  ヒンジ蓋                        11  切欠
３  ヒンジ                          12  折込片
４  段部                            13  糊代片
５  側板                            14  開閉端
６  前面板                          15,16   嵌合突起
７  後面板
８  突起
９  底板
【図１】
0003688057.tif 000002
【図２】
0003688057.tif 000003
【図３】
0003688057.tif 000004
【図４】
0003688057.tif 000005
【図７】
0003688057.tif 000006
【図５】
0003688057.tif 000007
【図６】
0003688057.tif 000008